(57)【特許請求の範囲】
【請求項１】
薬物を投与する薬物送達デバイス（１）であって：
薬物を収容するカートリッジ（３）を保持するように適合された本体（２）と、
少なくとも１つの電気ユニット（ＥＵ）および該電気ユニット（ＥＵ）に電気的に接触するポート（６）と、
薬物送達デバイス（１）に注射針（４）を取り付けるアダプタ（７）と、
注射針（４）がカートリッジ（３）と流体連通している間、ポート（６）へのアクセスを防止するように配置され、ポート（６）がアクセス可能である間、注射針（４）とカートリッジ（３）との間の流体連通を確立するのを防止するように配置された安全機構（Ｓ）とを含む前記薬物送達デバイスにおいて、
本体（２）は、主要部材（２．１）と可動本体構成要素（２．２）とを含み、該可動本体構成要素（２．２）は、ポート（６）がアクセス可能である位置ずれ位置（ＭＰ）と、ポート（６）が覆われる位置合わせ位置（ＡＰ）との間を、主要部材（２．１）に対して可動であり、アダプタ（７）は、可動本体構成要素（２．２）が位置ずれ位置（ＭＰ）にあるときアダプタが分割されて針（４）の取り付けを防止するように本体（２）上に配置され、アダプタ（７）は、針（４）が取り付けられているとき可動本体構成要素（２．２）が位置合わせ位置（ＡＰ）から位置ずれ位置（ＭＰ）へ動くのを防止するように配置されることを特徴とする前記薬物送達デバイス。
【請求項２】
位置合わせ位置（ＡＰ）では、ポートは、可動本体構成要素（２．２）または可動本体構成要素（２．２）に連結された摺動ドア（１２）によって隠される、請求項１に記載の薬物送達デバイス（１）。
【請求項３】
変位利得を提供するリンク機構（１３）が、摺動ドア（１２）を可動本体構成要素（２．２）に連結するように配置される、請求項２に記載の薬物送達デバイス（１）。
【請求項４】
摺動ドア（１２）に連結されて可動本体構成要素（２．２）に向かって付勢された保持ピン（１４）が、位置合わせ位置（ＡＰ）で可動本体構成要素（２．２）によって係合され、位置ずれ位置（ＭＰ）で係合解除されるように配置される、請求項２または３に記載の薬物送達デバイス（１）。
【請求項５】
可動本体構成要素（２．２）は、位置合わせ位置（ＡＰ）と位置ずれ位置（ＭＰ）との間を並進運動および／または回転するように配置される、請求項１〜４のいずれか１項に記載の薬物送達デバイス（１）。
【請求項６】
可動本体構成要素（２．２）は、位置ずれ位置（ＭＰ）で主要部材（２．１）から取り外し可能である、請求項１〜５のいずれか１項に記載の薬物送達デバイス（１）。
【請求項７】
可動本体構成要素（２．２）は、薬物送達デバイス（１）の長手方向に対する横断面が４分の１の円となる、アダプタ（７）の実質的に４分の１の扇形部分を含む、請求項１〜６のいずれか１項に記載の薬物送達デバイス（１）。
【請求項８】
可動本体構成要素（２．２）の内面は、２つの縁部（１７．１、１７．２）を画成するように形成され、可動本体構成要素（２．２）が位置合わせ位置（ＡＰ）にあるとき縁部の一方がカートリッジ（３）を径方向に支持し、可動本体構成要素（２．２）が位置ずれ位置（ＭＰ）にあるとき他方の縁部がカートリッジ（３）を径方向に支持する、請求項１〜７のいずれか１項に記載の薬物送達デバイス（１）。
【請求項９】
縁部（１７．１、１７．２）は、可動本体構成要素（２．２）内に形成された複数の円周リブ（１６）によって画成される、請求項８に記載の薬物送達デバイス（１）。
【請求項１０】
アダプタ（７）は、針（４）のねじ付ニードルハブ（４．１）に係合するためのねじ付領域を含む、請求項１〜９のいずれか１項に記載の薬物送達デバイス（１）。
【請求項１１】
可動本体構成要素（２．２）の並進運動は、軸方向成分および／または径方向成分を含む、請求項５〜１０のいずれか１項に記載の薬物送達デバイス（１）。
【請求項１２】
可動本体構成要素（２．２）は、長手方向成分および／または横断方向成分を有するピボット軸を画成するピボット点（１０）またはヒンジ（１８）の周りを回転するように配置される、請求項５〜１１のいずれか１項に記載の薬物送達デバイス（１）。
【請求項１３】
可動本体構成要素（２．２）を位置合わせ位置（ＡＰ）または位置ずれ位置（ＭＰ）に向かって付勢するためのばねが配置される、請求項１〜１２のいずれか１項に記載の薬物送達デバイス（１）。
【請求項１４】
可動本体構成要素（２．２）の動きを制限するための拘束機構（５、８、９）が配置される、請求項１〜１３のいずれか１項に記載の薬物送達デバイス（１）。
【発明の詳細な説明】
【技術分野】
【０００１】
本発明は、薬物送達デバイスに関する。
【背景技術】
【０００２】
注射を投与することは、使用者および医療従事者にとって、精神的にも身体的にも複数のリスクおよび難題をもたらすプロセスである。
【０００３】
注射デバイス（すなわち、医薬品容器から薬剤を送達することが可能なデバイス）は、典型的には、２つの範疇、すなわち手動デバイスおよび自動注射器に入る。
【０００４】
手動デバイスでは、使用者は、流体を針に通すために機械的なエネルギーを提供しなければならない。これは、典型的には、何らかの形のボタン／プランジャによって行われ、使用者はこれを注射中に押し続けなければならない。この手法には、使用者にとって多数の欠点がある。使用者がボタン／プランジャを押すのを止めた場合、注射も停止する。これは、デバイスが正しく使用されない場合（すなわち、プランジャが終端の位置まで完全に押されていない場合）、使用者が送達する用量が十分でない可能性があることを意味する。特に患者が高齢である場合、または手先の器用さに問題を抱えている場合、注射の力は使用者にとって大きすぎることがある。
【０００５】
ボタン／プランジャの延長が大きすぎることもある。したがって、ボタンが完全に延びた状態に到達することは使用者にとって不便な可能性がある。注射の力とボタンの延長が組み合わさることで、手の揺れ／震えが生じる可能性があり、それによって挿入された針が動くときの不快さが増大する。
【０００６】
自動注射デバイスは、注射される療法の自己投与を患者にとってより容易にすることを目的とする。自己投与式注射によって送達される現在の療法には、糖尿病向けの薬物（インスリンとより新しいＧＬＰ−１型の薬物との両方）、偏頭痛、ホルモン療法、抗凝血剤などが含まれる。
【０００７】
自動注射器は、標準的なシリンジからの非経口的な薬物送達を伴う働きに完全または部分的に取って代わるデバイスである。これらの働きは、保護シリンジキャップの取り外し、患者の皮膚内への針の挿入、薬剤の注射、針の取り外し、針の遮蔽、およびデバイスの再利用の防止を含むことができる。これは、手動デバイスの欠点の多くを克服する。注射の力／ボタンの延長、手の震え、不完全な用量を送達する可能性が低減される。トリガは、多数の手段によって、たとえばトリガボタンによって、または針がその注射深さに到達する作用によって、実行することができる。いくつかのデバイスでは、流体を送達するためのエネルギーは、ばねによって提供される。他のデバイスでは、これは、電気機械的駆動装置によって実現される。電気機械的および／または電子的な構成要素を有するデバイスは、データ転送または充電のために別のデバイスとの有線通信を行うことができるポートを含むことができる。
【発明の概要】
【発明が解決しようとする課題】
【０００８】
本発明の目的は、改善された薬物送達デバイスを提供することである。
【課題を解決するための手段】
【０００９】
この目的は、請求項１に記載の薬物送達デバイスによって実現される。
【００１０】
本発明の好ましい実施形態は、従属請求項に与えられる。
【００１１】
本発明によれば、薬物を投与する薬物送達デバイスは：
−  薬物を収容するカートリッジを保持するように適合された本体と、
−  少なくとも１つの電気ユニットおよび電気ユニットに電気的に接触するポートと、
−  薬物送達デバイスに注射針を取り付けるアダプタと、
−  注射針がカートリッジと流体連通している間、ポートへのアクセスを防止するように配置され、ポートがアクセス可能である間、注射針とカートリッジとの間の流体連通を確立するのを防止するように配置された安全機構とを含む。
【００１２】
ポート、たとえばＵＳＢポートは、データ転送または充電のために別のデバイスとの有線通信を行うことができる。安全機構は、使用者が注射を試みる間に不注意で薬物送達デバイスがケーブルを介して接続されたままにするリスクを回避する。この場合、外部に接続されたデバイスから薬物送達デバイスのケーブル、ポート、および電子機器を通って導電性の金属注射針を介して患者までつながる潜在的な導電経路が存在することがある。ポート上の電流が過負荷状態である場合、またはカートリッジが漏れている場合、薬物送達デバイス内に短絡が生じるため、患者は感電を受けるはずである。感電は、ケーブルがポートに接続されているか否かにかかわらず、患者とポートに接続された外部デバイスとの両方が接地されている場合、または患者が注射中にポートに接触した場合に生じることがある。同様に、ポートは、使用者の血糖値を測定する血糖ストリップとインターフェース接続するように適用することができる。したがって、ポートもまた、電子接点を特徴とする。したがって、同様のリスクが伴う。本発明による安全機構は、このリスクを防止する。
【００１３】
上記のリスクは、注射針がカートリッジと流体連通している間、ポートへのアクセスを防止するように配置され、ポートがアクセス可能である間、注射針とカートリッジとの間に流体連通を確立するのを防止するように配置された安全機構を設けることによって対処される。
【００１４】
他の選択肢は、使用者がポートにアクセスできるとき安全機構によって薬物送達デバイスの用量投入動作（ｄｏｓｉｎｇ  ｏｐｅｒａｔｉｏｎ）を無効にすることである。これは、薬物送達デバイスの送達機構を無効にする動作を実行することによって、または使用者が薬物送達デバイスを動作させる人間−機械インターフェース上のボタンもしくはソフトボタンにアクセスするのを防止することによって実現することができる。
【００１５】
例示的な実施形態では、本体は、主要部材（ｍａｉｎ  ｐａｒｔ）と可動本体構成要素（ｍｏｖａｂｌｅ  ｂｏｄｙ  ｃｏｍｐｏｎｅｎｔ）とを含み、可動本体構成要素は、ポートがアクセス可能である位置ずれ位置（ｍｉｓａｌｉｇｎｅｄ  ｐｏｓｉｔｉｏｎ）と、ポートが覆われる位置合わせ位置（ａｌｉｇｎｅｄ  ｐｏｓｉｔｉｏｎ）との間を、主要部材に対して可動であり、アダプタは、可動本体構成要素が位置ずれ位置にあるときアダプタが分割されて針の取り付けを防止するように本体上に配置され、アダプタは、針が取り付けられているとき可動本体構成要素が位置合わせ位置から位置ずれ位置へ動くのを防止するように配置される。
【００１６】
位置合わせ位置では、ポートは、可動本体構成要素または可動本体構成要素に連結された摺動ドアによって隠すことができる。
【００１７】
変位利得を提供するリンク機構を、摺動ドアを可動本体構成要素に連結するように配置することができ、したがって可動本体構成要素の比較的小さい動き、または可動本体構成要素によって引き起こされる比較的小さい動きによって、摺動ドアのより大きい動きを引き起こすことを可能にする。
【００１８】
例示的な実施形態では、摺動ドアに連結されて可動本体構成要素に向かって付勢された保持ピンが、位置合わせ位置で可動本体構成要素によって係合され、位置ずれ位置で係合解除されるように配置され、したがって、摺動ドアを一方の方向に並進運動させながら可動本体構成要素を別の方向または向きに動かす簡単な手段を提供する。
【００１９】
例示的な実施形態では、可動本体構成要素は、位置合わせ位置と位置ずれ位置との間を並進運動および／または回転するように配置される。
【００２０】
別の例示的な実施形態では、可動本体構成要素は、位置ずれ位置で主要部材から取り外し可能とすることができる。
【００２１】
例示的な実施形態では、可動本体構成要素は、たとえば４分の１の円の横断面を有する、アダプタの実質的に４分の１の扇形を含む。これにより、Ａ型針（ｔｙｐｅ  Ａ  ｎｅｅｄｌｅ）を受け入れるのに十分なほどアダプタの直径を小さく保ちながら、それでもなお可動本体構成要素を回転させることによってアダプタを分割する作用により、針がアダプタに嵌合されるのを確実に防止することが有効になり、ねじ付領域の周囲で可動本体構成要素とカートリッジとの間の干渉を引き起こさない。
【００２２】
例示的な実施形態では、可動本体構成要素の内面が、２つの縁部を画成するように形成され、可動本体構成要素が位置合わせ位置にあるとき縁部の一方がカートリッジを径方向に支持し、可動本体構成要素が位置ずれ位置にあるとき他方の縁部がカートリッジを径方向に支持する。これにより、可動本体構成要素の位置にかかわらず、カートリッジが確実に本体内に拘束されたままとなる。
【００２３】
例示的な実施形態では、縁部は、可動本体構成要素内に形成された複数の円周リブによって画成される。リブは、可動本体構成要素内に成形することができる。リブのプロファイルは、位置合わせ位置と位置ずれ位置との間で平滑に湾曲し、したがって可動本体構成要素とカートリッジとの間のあらゆる干渉を回避するように設計することができる。
【００２４】
例示的な実施形態では、アダプタは、針のねじ付ニードルハブに係合するためのねじ付領域を含む。ねじ付領域の代わりに、アダプタは、バヨネットフィット、円錐、またはルアーロックなど、針を取り付ける他の手段を含むことができる。
【００２５】
例示的な実施形態では、位置合わせ位置と位置ずれ位置との間の可動本体構成要素の並進運動は、軸方向成分および／または径方向成分を含むことができる。たとえば、可動本体構成要素は、本体の主要部材から離れる方へ傾斜して上昇するように、外方と上方の両方に摺動することができる。
【００２６】
例示的な実施形態では、可動本体構成要素は、長手方向成分および／または横断方向成分を有するピボット軸を画成するピボット点またはヒンジの周りを回転するように配置される。たとえば、可動本体構成要素は、横断方向軸もしくは長手方向軸または任意の他の軸の周りを回転することができる。同様に、可動本体構成要素の回転軸は、任意の他の方向に傾斜させることができる。
【００２７】
例示的な実施形態では、可動本体構成要素を位置合わせ位置または位置ずれ位置に向かって付勢するためのばねが配置される。
【００２８】
例示的な実施形態では、特に位置ずれ位置に向かう可動本体構成要素の動きを制限するための拘束機構が配置される。
【００２９】
本発明のさらなる適用可能範囲は、以下の詳細な説明から明らかになるであろう。しかし、詳細な説明および特有の例は本発明の好ましい実施形態を示すが、本発明の精神および範囲内の様々な変更および修正がこの詳細な説明から当業者には明らかになるため、例示のみを目的として与えられることを理解されたい。
【００３０】
本発明は、以下の詳細な説明および添付の図面からより完全に理解される。これらは、例示のみを目的として与えられ、したがって本発明を限定するものではない：
【図面の簡単な説明】
【００３１】
【図１】本体を含み、可動本体構成要素が位置合わせ位置にあり、本体上のアダプタに注射針が取り付けられた、薬物を投与する電気機械的薬物送達デバイスの第１の例示的な実施形態の概略図である。
【図２】注射針が取り外された、電気機械的薬物送達デバイスの第１の例示的な実施形態の概略図である。
【図３】可動本体構成要素が位置ずれ位置にある、電気機械的薬物送達デバイスの第１の例示的な実施形態の概略図である。
【図４】本体を含み、可動本体構成要素が位置合わせ位置にあり、本体上のアダプタに注射針が取り付けられた、薬物送達デバイスの第２の例示的な実施形態の側面図である。
【図５】注射針を取り外した後、可動本体構成要素を位置ずれ位置へ回転させた、薬物送達デバイスの第２の実施形態の側面図である。
【図６】本体を含み、可動本体構成要素が位置合わせ位置にある、薬物送達デバイスの第３の例示的な実施形態の側面図である。
【図７】可動本体構成要素を位置ずれ位置へ回転させた、薬物送達デバイスの第３の実施形態の側面図である。
【図８】可動本体構成要素を位置ずれ位置へ回転させた、薬物送達デバイスの第３の実施形態の斜視図である。
【図９】可動本体構成要素が位置ずれ位置にある、カートリッジの縦断面図である。
【図１０】可動本体構成要素が位置合わせ位置にある、薬物送達デバイスの第４の実施形態の横断面図である。
【図１１】可動本体構成要素が位置ずれ位置にある、薬物送達デバイスの第４の実施形態の横断面図である。
【発明を実施するための形態】
【００３２】
すべて図において、対応する部分は同じ参照記号で示す。
【００３３】
図１〜３は、薬物を投与する電気機械的薬物送達デバイス１の第１の例示的な実施形態の概略図である。薬物送達デバイス１は、薬物カートリッジ３またはシリンジを受けるように適合された主要部材２．１を有する本体２を含む。カートリッジ３には皮下注射針４を取り付けることができ、好ましくは、針４は２つの先端部を有し、先端部の一方は注射部位に穿孔し、他方はカートリッジ３上のセプタムに穿孔して、カートリッジ３と針４との間の流体連通を確立する。薬物送達デバイス１は、使用者へ情報を通信して使用者が薬物送達デバイスを動作させることを可能にする制御ユニットおよび／もしくは人間−機械インターフェース、ならびに／または針４を注射部位、たとえば患者の皮膚内へ挿入し、かつ／もしくは針４を通ってカートリッジ３からの薬物を投薬し、かつ／もしくは注射後に針４を後退させる電気機械的駆動装置（図示せず）など、少なくとも１つの電気ユニット（ＥＵ）をさらに含む。
【００３４】
本体２は、針４を取り付けるアダプタ７を含む。アダプタ７は、ねじ付領域７として配置することができる。針４は、使用者によって取り付けかつ取り外すことができ、したがって針は、薬物の単回の送達に使用することが可能となる。送達後、針４は適宜取り外され、廃棄され、新しい針に交換される。
【００３５】
薬物送達デバイス１は、データ転送または充電のために別のデバイスとの有線通信を行うことができるポート６を含む。この特徴には、使用者が注射を試みる間に不注意で薬物送達デバイス１がケーブルを介して接続されたままにするリスクが伴う。薬物送達デバイス１の制御ユニットは、この状況では薬物の送達を防止するための確認を含むソフトウェアを実行することができるが、外部に接続されたデバイスから薬物送達デバイス１のケーブル、ポート６、および電子機器を通って導電性の金属針４を介して患者までつながる潜在的な導電経路がやはり存在する。したがって、たとえば、ポート６上の電流が過負荷であり、またはカートリッジ３が漏れている可能性があり、それによって薬物送達デバイス１内に短絡が生じ、患者に感電を送達する可能性がある。これは、ケーブルがポート６に接続されているか否かにかかわらず、患者とポート６に接続された外部デバイスとの両方が接地されている場合、または患者が注射中にポート６に接触した場合に生じることがある。
【００３６】
同様に、ポート６は、使用者の血糖値を測定する血糖ストリップとインターフェース接続するように適用することができる。したがって、ポート６もまた、電子接点を特徴とする。したがって、同様のリスクが伴う。
【００３７】
上記のリスクは、使用者がポート６にアクセスすることができるとき薬物送達デバイス１の用量投入動作を無効にする安全機構Ｓを設けることによって対処される。これは、薬物送達デバイス１の送達機構を無効にする動作を実行することによって、または使用者が針４に接続するように適用された薬物送達デバイス１のアダプタ７または人間−機械インターフェース上のボタンもしくはソフトボタンにアクセスするのを防止することによって実現される。
【００３８】
図１の実施形態では、本体２は、本体２の遠位端部の方を向く可動本体構成要素２．２を含む。アダプタ７、具体的にはねじ付領域７は、一部が可動本体構成要素２．２上に配置され、一部が本体２の主要部材２．１上に配置される。可動本体構成要素２．２は、ねじ付領域７が針４を取り付けることを可能にするように本体２の主要部材２．１と軸方向に位置合わせされた図１および図２に示す近位位置合わせ位置ＡＰと、可動本体構成要素２．２が本体２の主要部材２．１から軸方向に位置ずれし、したがって針４の取り付けを防止する図３に示す遠位位置ずれ位置ＭＰとの間を、主要部材２．１に対して軸方向に動かすことができる。針４がアダプタ７に取り付けられている場合、アダプタ７およびニードルハブ４．１のねじ山が係合しているため、可動本体構成要素２．２は、位置合わせ位置ＡＰから動くのを防止される。ポート６は、主要部材２．１内に配置されており、可動本体構成要素２．２がその位置ずれ位置ＭＰにあるときのみアクセスすることができる。
【００３９】
摺動拘束部（ｓｌｉｄｅ  ｒｅｓｔｒａｉｎｔ）５が可動本体構成要素２．２上に配置され、主要部材２．１内に配置された拘束スロット９内に係合されたピン８を含み、可動本体構成要素２．２の運動が単一の軸および制限された範囲に抑制されることを確実にする。同様に、摺動拘束部５は、主要部材２．１および可動本体構成要素２．２内の拘束スロット９上に配置することもできる。
【００４０】
図１では、アダプタ７に針４が取り付けられ、したがって可動本体構成要素２．２が位置合わせ位置ＡＰから動くのを防止する。ポート６にアクセスするには、使用者は、図２に示すように、アダプタ７から針４のねじをゆるめ、したがって主要部材２．１と可動本体構成要素２．２の分離を可能にする。次いで、可動本体構成要素２．２は位置ずれ位置ＭＰへ動かされて、アダプタ７上のねじ山を分割してポート６を露出させる。アダプタ７が分割されるため、ポート６がアクセス可能である間は針４を取り付けることができない。
【００４１】
例示的な実施形態では、可動本体構成要素２．２を位置ずれ位置ＭＰまたは位置合わせ位置ＡＰに向かって付勢するように、少なくとも１つのばねを配置することができる。
【００４２】
別の例示的な実施形態では、可動本体構成要素２．２は、異なる運動平面内を動くように主要部材２．１に連結することができる。たとえば、可動本体構成要素２．２は、本体２の主要部材２．１から離れる方へ傾斜して上昇するように、外方と上方の両方に摺動することができる。同様に、可動本体構成要素２．２は、完全に別個の構成要素として主要部材２．１から完全に外れるように配置することができる。アダプタ７のねじ付領域を分割することを可能にする任意のリンク機構が適しうる。
【００４３】
図４は、薬物送達デバイス１の別の例示的な実施形態の側面図である。
【００４４】
薬物送達デバイス１は、薬物カートリッジ３またはシリンジを受けるように適合された主要部材２．１を有する本体２を含む。カートリッジ３には皮下注射針４を取り付けることができる。薬物送達デバイス１は、使用者へ情報を通信して使用者が薬物送達デバイスを動作させることを可能にする制御ユニットおよび／もしくは人間−機械インターフェース、ならびに／または針４を注射部位、たとえば患者の皮膚内へ挿入し、かつ／もしくは針４を通ってカートリッジ３からの薬物を投薬し、かつ／もしくは注射後に針４を後退させる電気機械的駆動装置（図示せず）など、少なくとも１つの電気ユニットをさらに含む。
【００４５】
本体２は、針４を取り付けるアダプタ７を含む。アダプタ７は、ねじ付領域７として配置することができる。針４は、使用者によって取り付けかつ取り外すことができ、したがって針４は、薬物の単回の送達に使用することが可能となる。送達後、針４は適宜取り外され、廃棄され、新しい針に交換される。
【００４６】
薬物送達デバイス１は、データ転送または充電のために別のデバイスとの有線通信を行うことができるポート６を含む。
【００４７】
図４の実施形態では、本体２は、本体２の遠位端部の方を向く可動本体構成要素２．２を含む。アダプタ７、具体的にはねじ付領域７は、一部が可動本体構成要素２．２上に配置され、一部が本体２の主要部材２．１上に配置される。可動本体構成要素２．２は、薬物送達デバイス１の長手方向軸に対して略横断方向軸を画成するピボット点１０の周りを回転可能に配置される。可動本体構成要素２．２は、アダプタ７のねじ付領域が針４を取り付けることを可能にするように本体２の主要部材２．１と同一平面である図４に示す位置合わせ位置ＡＰと、可動本体構成要素２．２が本体２の主要部材２．１から回転方向に位置ずれし、したがってアダプタ７を分割して針４の取り付けを防止する図５に示す位置ずれ位置ＭＰとの間を、主要部材２．１に対して回転させることができる。針４がアダプタ７に取り付けられている場合、アダプタ７およびニードルハブ４．１のねじ山が係合しているため、可動本体構成要素２．２は、位置合わせ位置ＡＰから動くのを防止される。ポート６は、主要部材２．１内に配置されており、主要部材２．１内の開口部１１を通ってアクセス可能である。開口部１１を覆いまたは露出させるように、摺動ドア１２が配置される。摺動ドア１２は、リンク機構１３を通って保持ピン１４に連結され、保持ピン１４は、ばね１５によって遠位方向Ｄに付勢される。リンク機構１３により、摺動ドア１２は、保持ピン１４が近位位置ＰＰにある場合には開口部１１を覆い、保持ピン１４が遠位位置ＤＰにある場合には開口部１１を露出させる。図４では、可動本体構成要素２．２は、位置合わせ位置ＡＰにあるため、保持ピン１４に係合し、したがって保持ピンを近位位置ＰＰで維持し、ポート６へのアクセスを防止する。可動本体構成要素２．２は、位置ずれ位置ＭＰへ回転した場合、保持ピン１４を係合解除する。したがって保持ピン１４は、ばね１５によって遠位位置ＤＰへ動かされ、したがって摺動ドア１２を動かして開口部１１を露出させ、ポート６へのアクセスを可能にする。
【００４８】
図４では、アダプタ７に針４が取り付けられ、したがって可動本体構成要素２．２が位置合わせ位置ＡＰから動くのを防止し、保持ピンを近位位置ＰＰで維持し、ポート６へのアクセスを防止する。ポート６にアクセスするには、使用者は、アダプタ７から針４のねじをゆるめ、したがって主要部材２．１と可動本体構成要素２．２の分離を可能にする。次いで、可動本体構成要素２．２は位置ずれ位置ＭＰへ回転してアダプタ７上のねじ山を分割し、保持ピン１４を解放してポート６を露出させる。アダプタ７が分割されるため、ポート６がアクセス可能である間は針４を取り付けることができない。
【００４９】
可動本体構成要素２．２が使用者によってその位置合わせ位置ＡＰへ戻されると、可動本体構成要素２．２は保持ピン１４を近位位置ＰＰへ押し込み、摺動ドア１２を閉じてポート６へのアクセスを防止する。可動本体構成要素２．２と保持ピン１４の係合は、傾斜した係合面によって容易にすることができる。
【００５０】
リンク機構１３は、変位利得を提供するように配置することができ、したがって保持ピン１４は、摺動ドア１２の距離の２分の１だけ動く。これにより、可動本体構成要素２．２を位置合わせ位置ＡＰへ回転させることによって、保持ピン１４をやはりその近位位置ＰＰへ確実に戻すことができる。摺動ドア１２が動く必要のある距離に応じて、リンク機構１３の必要をなくし、保持ピン１４を摺動ドア１２へ直接連結させて摺動ドア１２の運動を作動させるように、実施形態を修正することもできる。
【００５１】
典型的には、薬物送達デバイス１は、Ａ型針４を受け入れてカートリッジ３を適切に拘束するように、カートリッジ３の遠位端部の周りにぴったりと嵌合する本体構成要素を有する。特にＡ型針４および標準的な３ｍｌのカートリッジ３が使用される場合、可動本体構成要素２．２のねじ付領域７とカートリッジ３の遠位端部との間の干渉を回避するため、図４および図５の実施形態を、図６、図７、および図８に示すように修正することができる。
【００５２】
図６は、薬物送達デバイス１の例示的な実施形態の概略側面図であり、アダプタ７上のねじ付領域は、１：３の比で分割され、したがって可動本体構成要素２．２上のねじ付領域は、４分の１の円の横断面を有するアダプタ７の実質的に４分の１の扇形を含む（図８参照）。これにより、Ａ型針４を受け入れるのに十分なほどアダプタ７のねじ付領域の直径を小さく保ちながら、それでもなお可動本体構成要素２．２を回転させることによって本体２を分割する作用により、針がアダプタ７に嵌合されるのを確実に防止することが有効になり、ねじ付領域の周囲で可動本体構成要素２．２とカートリッジ３との間の干渉を引き起こさない。
【００５３】
図６は、可動本体構成要素２．２が位置合わせ位置ＡＰにある、薬物送達デバイス１を示す。図７は、可動本体構成要素２．２が位置ずれ位置ＭＰに回転させられ、したがってアダプタ７のねじ付領域が分割された、薬物送達デバイス１の側面図である。図８は、対応する斜視図である。
【００５４】
図９は、可動本体構成要素２．２が位置ずれ位置ＭＰにある、カートリッジ３の縦断面図である。可動本体構成要素２．２を回転させることで、可動本体構成要素２．２によって本体２内に拘束されているカートリッジ３に対して位置ずれが生じる。
【００５５】
可動本体構成要素２．２の位置にかかわらずカートリッジ３が確実に拘束されたままになるように、可動本体構成要素２．２内に成形された複数の円周リブ１６が、２つの縁部１７．１、１７．２を画成し、可動本体構成要素２．２が位置合わせ位置ＡＰにあるとき縁部の一方がカートリッジ３に接触し、可動本体構成要素２．２が位置ずれ位置ＭＰにあるとき他方の縁部がカートリッジ３に接触する。
【００５６】
図１０は、図４および図５の実施形態の修正形態である薬物送達デバイス１の一実施形態の横断面図である。
【００５７】
可動本体構成要素２．２がピボット点１０の周りを回転させられる図４および図５の実施形態とは異なり、図１０の薬物送達デバイス１の本体２は、その側面に沿って軸方向に分割される。主要部材２．１と可動本体構成要素２．２との間にヒンジ１８が配置され、可動本体構成要素２．２が本体２の主要部材２．１に対して長手方向軸の周りを旋回することが可能になり、したがって図４および図５と同様に、アダプタ７（図１１）のねじ付領域を分割し、保持ピン（図１０および図１１には図示せず）を解放することが可能になる。長手方向軸の周りに可動本体構成要素２．２をヒンジ留めすることで、カートリッジ３と可動本体構成要素２．２との間の干渉を回避する。
【００５８】
安全機構Ｓは概して、純粋に機械的な手段または電子的に作動される機械システムのいずれかを含むことができる。安全機構は、潜在的には、部材を位置合わせ位置または位置ずれ位置へ掛止するのを助けるために、物理的な戻り止めまたは磁気要素を使用することもできる。
【００５９】
本明細書で使用する用語「薬物」または「薬剤」は、少なくとも１つの薬学的に活性な化合物を含む医薬製剤を意味し、
ここで、一実施形態において、薬学的に活性な化合物は、最大１５００Ｄａまでの分子量を有し、および／または、ペプチド、タンパク質、多糖類、ワクチン、ＤＮＡ、ＲＮＡ、酵素、抗体もしくはそのフラグメント、ホルモンもしくはオリゴヌクレオチド、または上述の薬学的に活性な化合物の混合物であり、
ここで、さらなる実施形態において、薬学的に活性な化合物は、糖尿病、または糖尿病性網膜症などの糖尿病関連の合併症、深部静脈血栓塞栓症または肺血栓塞栓症などの血栓塞栓症、急性冠症候群（ＡＣＳ）、狭心症、心筋梗塞、がん、黄斑変性症、炎症、枯草熱、アテローム性動脈硬化症および／または関節リウマチの処置および／または予防に有用であり、
ここで、さらなる実施形態において、薬学的に活性な化合物は、糖尿病または糖尿病性網膜症などの糖尿病に関連する合併症の処置および／または予防のための少なくとも１つのペプチドを含み、
ここで、さらなる実施形態において、薬学的に活性な化合物は、少なくとも１つのヒトインスリンもしくはヒトインスリン類似体もしくは誘導体、グルカゴン様ペプチド（ＧＬＰ−１）もしくはその類似体もしくは誘導体、またはエキセンジン−３もしくはエキセンジン−４もしくはエキセンジン−３もしくはエキセンジン−４の類似体もしくは誘導体を含む。
【００６０】
インスリン類似体は、たとえば、Ｇｌｙ（Ａ２１），Ａｒｇ（Ｂ３１），Ａｒｇ（Ｂ３２）ヒトインスリン；Ｌｙｓ（Ｂ３），Ｇｌｕ（Ｂ２９）ヒトインスリン；Ｌｙｓ（Ｂ２８），Ｐｒｏ（Ｂ２９）ヒトインスリン；Ａｓｐ（Ｂ２８）ヒトインスリン；Ｂ２８位におけるプロリンがＡｓｐ、Ｌｙｓ、Ｌｅｕ、Ｖａｌ、またはＡｌａで置き換えられており、Ｂ２９位において、ＬｙｓがＰｒｏで置き換えられていてもよいヒトインスリン；Ａｌａ（Ｂ２６）ヒトインスリン；Ｄｅｓ（Ｂ２８−Ｂ３０）ヒトインスリン；Ｄｅｓ（Ｂ２７）ヒトインスリン、およびＤｅｓ（Ｂ３０）ヒトインスリンである。
【００６１】
インスリン誘導体は、たとえば、Ｂ２９−Ｎ−ミリストイル−ｄｅｓ（Ｂ３０）ヒトインスリン；Ｂ２９−Ｎ−パルミトイル−ｄｅｓ（Ｂ３０）ヒトインスリン；Ｂ２９−Ｎ−ミリストイルヒトインスリン；Ｂ２９−Ｎ−パルミトイルヒトインスリン；Ｂ２８−Ｎ−ミリストイルＬｙｓＢ２８ＰｒｏＢ２９ヒトインスリン；Ｂ２８−Ｎ−パルミトイル−ＬｙｓＢ２８ＰｒｏＢ２９ヒトインスリン；Ｂ３０−Ｎ−ミリストイル−ＴｈｒＢ２９ＬｙｓＢ３０ヒトインスリン；Ｂ３０−Ｎ−パルミトイル−ＴｈｒＢ２９ＬｙｓＢ３０ヒトインスリン；Ｂ２９−Ｎ−（Ｎ−パルミトイル−γ−グルタミル）−ｄｅｓ（Ｂ３０）ヒトインスリン；Ｂ２９−Ｎ−（Ｎ−リトコリル−γ−グルタミル）−ｄｅｓ（Ｂ３０）ヒトインスリン；Ｂ２９−Ｎ−（ω−カルボキシヘプタデカノイル）−ｄｅｓ（Ｂ３０）ヒトインスリン、およびＢ２９−Ｎ−（ω−カルボキシヘプタデカノイル）ヒトインスリンである。
【００６２】
エキセンジン−４は、たとえば、Ｈ−Ｈｉｓ−Ｇｌｙ−Ｇｌｕ−Ｇｌｙ−Ｔｈｒ−Ｐｈｅ−Ｔｈｒ−Ｓｅｒ−Ａｓｐ−Ｌｅｕ−Ｓｅｒ−Ｌｙｓ−Ｇｌｎ−Ｍｅｔ−Ｇｌｕ−Ｇｌｕ−Ｇｌｕ−Ａｌａ−Ｖａｌ−Ａｒｇ−Ｌｅｕ−Ｐｈｅ−Ｉｌｅ−Ｇｌｕ−Ｔｒｐ−Ｌｅｕ−Ｌｙｓ−Ａｓｎ−Ｇｌｙ−Ｇｌｙ−Ｐｒｏ−Ｓｅｒ−Ｓｅｒ−Ｇｌｙ−Ａｌａ−Ｐｒｏ−Ｐｒｏ−Ｐｒｏ−Ｓｅｒ−ＮＨ２配列のペプチドであるエキセンジン−４（１−３９）を意味する。
【００６３】
エキセンジン−４誘導体は、たとえば、以下のリストの化合物：
Ｈ−（Ｌｙｓ）４−ｄｅｓＰｒｏ３６，ｄｅｓＰｒｏ３７エキセンジン−４（１−３９）−ＮＨ２、
Ｈ−（Ｌｙｓ）５−ｄｅｓＰｒｏ３６，ｄｅｓＰｒｏ３７エキセンジン−４（１−３９）−ＮＨ２、
ｄｅｓＰｒｏ３６エキセンジン−４（１−３９）、
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４Ｔｒｐ（Ｏ２）２５，ＩｓｏＡｓｐ２８］エキセンジン−４（１−３９）；または
ｄｅｓＰｒｏ３６［Ａｓｐ２８］エキセンジン−４（１−３９）、
ｄｅｓＰｒｏ３６［ＩｓｏＡｓｐ２８］エキセンジン−４（１−３９）、
ｄｅｓＰｒｏ３６［Ｍｅｔ（Ｏ）１４，Ａｓｐ２８］エキセンジン−４（１−３９）、
ｄｅｓＰｒｏ３６［Ｍｅｔ（Ｏ）１４，ＩｓｏＡｓｐ２８］エキセンジン−（１−３９）、
ｄｅｓＰｒｏ３６［Ｔｒｐ（Ｏ２）２５，Ａｓｐ２８］エキセンジン−４（１−３９）、
ｄｅｓＰｒｏ３６［Ｔｒｐ（Ｏ２）２５，ＩｓｏＡｓｐ２８］エキセンジン−４（１−３９）、
ｄｅｓＰｒｏ３６［Ｍｅｔ（Ｏ）１４，Ｔｒｐ（Ｏ２）２５，Ａｓｐ２８］エキセンジン−４（１−３９）、
ｄｅｓＰｒｏ３６［Ｍｅｔ（Ｏ）１４，Ｔｒｐ（Ｏ２）２５，ＩｓｏＡｓｐ２８］エキセンジン−４（１−３９）、
（ここで、基−Ｌｙｓ６−ＮＨ２が、エキセンジン−４誘導体のＣ−末端に結合していてもよい）；
【００６４】
または、以下の配列のエキセンジン−４誘導体
ｄｅｓＰｒｏ３６エキセンジン−４（１−３９）−Ｌｙｓ６−ＮＨ２（ＡＶＥ００１０）、
Ｈ−（Ｌｙｓ）６−ｄｅｓＰｒｏ３６［Ａｓｐ２８］エキセンジン−４（１−３９）−Ｌｙｓ６−ＮＨ２、
ｄｅｓＡｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３８［Ａｓｐ２８］エキセンジン−４（１−３９）−ＮＨ２、
Ｈ−Ａｓｎ−（Ｇｌｕ）５ｄｅｓＰｒｏ３６，Ｐｒｏ３７，Ｐｒｏ３８［Ａｓｐ２８］エキセンジン−４（１−３９）−ＮＨ２、
ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ａｓｐ２８］エキセンジン−４（１−３９）−（Ｌｙｓ）６−ＮＨ２、
Ｈ−（Ｌｙｓ）６−ｄｅｓＰｒｏ３６［Ｔｒｐ（Ｏ２）２５，Ａｓｐ２８］エキセンジン−４（１−３９）−Ｌｙｓ６−ＮＨ２、
Ｈ−ｄｅｓＡｓｐ２８Ｐｒｏ３６，Ｐｒｏ３７，Ｐｒｏ３８［Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６［Ｍｅｔ（Ｏ）１４，Ａｓｐ２８］エキセンジン−４（１−３９）−Ｌｙｓ６−ＮＨ２、
ｄｅｓＭｅｔ（Ｏ）１４，Ａｓｐ２８Ｐｒｏ３６，Ｐｒｏ３７，Ｐｒｏ３８エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ａｓｎ−（Ｇｌｕ）５ｄｅｓＰｒｏ３６，Ｐｒｏ３７，Ｐｒｏ３８［Ｍｅｔ（Ｏ）１４，Ａｓｐ２８］エキセンジン−４（１−３９）−（Ｌｙｓ）６−ＮＨ２、
Ｈ−Ｌｙｓ６−ｄｅｓＰｒｏ３６［Ｍｅｔ（Ｏ）１４，Ｔｒｐ（Ｏ２）２５，Ａｓｐ２８］エキセンジン−４（１−３９）−Ｌｙｓ６−ＮＨ２、
Ｈ−ｄｅｓＡｓｐ２８，Ｐｒｏ３６，Ｐｒｏ３７，Ｐｒｏ３８［Ｍｅｔ（Ｏ）１４，Ｔｒｐ（Ｏ２）２５］エキセンジン−４（１−３９）−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ａｓｐ２８］エキセンジン−４（１−３９）−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−ＮＨ２、
ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２、
Ｈ−（Ｌｙｓ）６−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（Ｓ１−３９）−（Ｌｙｓ）６−ＮＨ２、
Ｈ−Ａｓｎ−（Ｇｌｕ）５−ｄｅｓＰｒｏ３６，Ｐｒｏ３７，Ｐｒｏ３８［Ｍｅｔ（Ｏ）１４，Ｔｒｐ（Ｏ２）２５，Ａｓｐ２８］エキセンジン−４（１−３９）−（Ｌｙｓ）６−ＮＨ２；
または前述のいずれか１つのエキセンジン−４誘導体の薬学的に許容される塩もしくは溶媒和化合物
から選択される。
【００６５】
ホルモンは、たとえば、ゴナドトロピン（フォリトロピン、ルトロピン、コリオンゴナドトロピン、メノトロピン）、ソマトロピン（ソマトロピン）、デスモプレシン、テルリプレシン、ゴナドレリン、トリプトレリン、ロイプロレリン、ブセレリン、ナファレリン、ゴセレリンなどの、Ｒｏｔｅ  Ｌｉｓｔｅ、２００８年版、５０章に列挙されている脳下垂体ホルモンまたは視床下部ホルモンまたは調節性活性ペプチドおよびそれらのアンタゴニストである。
【００６６】
多糖類としては、たとえば、グルコサミノグリカン、ヒアルロン酸、ヘパリン、低分子量ヘパリン、もしくは超低分子量ヘパリン、またはそれらの誘導体、または上述の多糖類の硫酸化形態、たとえば、ポリ硫酸化形態、および／または、薬学的に許容されるそれらの塩がある。ポリ硫酸化低分子量ヘパリンの薬学的に許容される塩の例としては、エノキサパリンナトリウムがある。
【００６７】
抗体は、基本構造を共有する免疫グロブリンとしても知られている球状血漿タンパク質（約１５０ｋＤａ）である。これらは、アミノ酸残基に付加された糖鎖を有するので、糖タンパク質である。各抗体の基本的な機能単位は免疫グロブリン（Ｉｇ）単量体（１つのＩｇ単位のみを含む）であり；分泌型抗体はまた、ＩｇＡなどの２つのＩｇ単位を有する二量体、硬骨魚のＩｇＭのような４つのＩｇ単位を有する四量体、または哺乳動物のＩｇＭのように５つのＩｇ単位を有する五量体でもあり得る。
【００６８】
Ｉｇ単量体は、４つのポリペプチド鎖；システイン残基間のジスルフィド結合によって結合された２つの同一の重鎖および２本の同一の軽鎖から構成される「Ｙ」字型の分子である。それぞれの重鎖は約４４０アミノ酸長であり；それぞれの軽鎖は約２２０アミノ酸長である。重鎖および軽鎖はそれぞれ、これらの折り畳み構造を安定化させる鎖内ジスルフィド結合を含む。それぞれの鎖は、Ｉｇドメインと呼ばれる構造ドメインから構成される。これらのドメインは約７０〜１１０個のアミノ酸を含み、そのサイズおよび機能に基づいて異なるカテゴリー（たとえば、可変すなわちＶ、および定常すなわちＣ）に分類される。これらは、２つのβシートが、保存されたシステインと他の荷電アミノ酸との間の相互作用によって一緒に保持される「サンドイッチ」形状を作り出す特徴的な免疫グロブリン折り畳み構造を有する。
【００６９】
α、δ、ε、γおよびμで表される５種類の哺乳類Ｉｇ重鎖が存在する。存在する重鎖の種類により抗体のアイソタイプが定義され；これらの鎖はそれぞれ、ＩｇＡ、ＩｇＤ、ＩｇＥ、ＩｇＧおよびＩｇＭ抗体中に見出される。
【００７０】
異なる重鎖はサイズおよび組成が異なり；αおよびγは約４５０個のアミノ酸を含み、δは約５００個のアミノ酸を含み、μおよびεは約５５０個のアミノ酸を有する。各重鎖は、２つの領域、すなわち定常領域（ＣＨ）と可変領域（ＶＨ）を有する。１つの種において、定常領域は、同じアイソタイプのすべての抗体で本質的に同一であるが、異なるアイソタイプの抗体では異なる。重鎖γ、α、およびδは、３つのタンデム型のＩｇドメインと、可撓性を加えるためのヒンジ領域とから構成される定常領域を有し；重鎖μおよびεは、４つの免疫グロブリン・ドメインから構成される定常領域を有する。重鎖の可変領域は、異なるＢ細胞によって産生された抗体では異なるが、単一Ｂ細胞またはＢ細胞クローンによって産生された抗体すべてについては同じである。各重鎖の可変領域は、約１１０アミノ酸長であり、単一のＩｇドメインから構成される。
【００７１】
哺乳類では、λおよびκで表される２種類の免疫グロブリン軽鎖がある。軽鎖は２つの連続するドメイン：１つの定常ドメイン（ＣＬ）および１つの可変ドメイン（ＶＬ）を有する。軽鎖のおおよその長さは、２１１〜２１７個のアミノ酸である。各抗体は、常に同一である２本の軽鎖を有し；哺乳類の各抗体につき、軽鎖κまたはλの１つのタイプのみが存在する。
【００７２】
すべての抗体の一般的な構造は非常に類似しているが、所与の抗体の固有の特性は、上記で詳述したように、可変（Ｖ）領域によって決定される。より具体的には、各軽鎖（ＶＬ）について３つおよび重鎖（ＨＶ）に３つの可変ループが、抗原との結合、すなわちその抗原特異性に関与する。これらのループは、相補性決定領域（ＣＤＲ）と呼ばれる。ＶＨドメインおよびＶＬドメインの両方からのＣＤＲが抗原結合部位に寄与するので、最終的な抗原特異性を決定するのは重鎖と軽鎖の組合せであり、どちらか単独ではない。
【００７３】
「抗体フラグメント」は、上記で定義した少なくとも１つの抗原結合フラグメントを含み、そのフラグメントが由来する完全抗体と本質的に同じ機能および特異性を示す。パパインによる限定的なタンパク質消化は、Ｉｇプロトタイプを３つのフラグメントに切断する。１つの完全なＬ鎖および約半分のＨ鎖をそれぞれが含む２つの同一のアミノ末端フラグメントが、抗原結合フラグメント（Ｆａｂ）である。サイズが同等であるが、鎖間ジスルフィド結合を有する両方の重鎖の半分の位置でカルボキシル末端を含む第３のフラグメントは、結晶可能なフラグメント（Ｆｃ）である。Ｆｃは、炭水化物、相補結合部位、およびＦｃＲ結合部位を含む。限定的なペプシン消化により、Ｆａｂ片とＨ−Ｈ鎖間ジスルフィド結合を含むヒンジ領域の両方を含む単一のＦ（ａｂ’）２フラグメントが得られる。Ｆ（ａｂ’）２は、抗原結合に対して二価である。Ｆ（ａｂ’）２のジスルフィド結合は、Ｆａｂ’を得るために切断することができる。さらに、重鎖および軽鎖の可変領域は、縮合して単鎖可変フラグメント（ｓｃＦｖ）を形成することもできる。
【００７４】
薬学的に許容される塩は、たとえば、酸付加塩および塩基性塩である。酸付加塩としては、たとえば、ＨＣｌまたはＨＢｒ塩がある。塩基性塩は、たとえば、アルカリまたはアルカリ土類、たとえば、Ｎａ＋、またはＫ＋、またはＣａ２＋から選択されるカチオン、または、アンモニウムイオンＮ＋（Ｒ１）（Ｒ２）（Ｒ３）（Ｒ４）（式中、Ｒ１〜Ｒ４は互いに独立に：水素、場合により置換されたＣ１〜Ｃ６アルキル基、場合により置換されたＣ２〜Ｃ６アルケニル基、場合により置換されたＣ６〜Ｃ１０アリール基、または場合により置換されたＣ６〜Ｃ１０ヘテロアリール基を意味する）を有する塩である。薬学的に許容される塩のさらなる例は、「Ｒｅｍｉｎｇｔｏｎ’ｓ  Ｐｈａｒｍａｃｅｕｔｉｃａｌ  Ｓｃｉｅｎｃｅｓ」１７版、Ａｌｆｏｎｓｏ  Ｒ．Ｇｅｎｎａｒｏ（編）、Ｍａｒｋ  Ｐｕｂｌｉｓｈｉｎｇ  Ｃｏｍｐａｎｙ、Ｅａｓｔｏｎ、Ｐａ．、Ｕ．Ｓ．Ａ．、１９８５およびＥｎｃｙｃｌｏｐｅｄｉａ  ｏｆ  Ｐｈａｒｍａｃｅｕｔｉｃａｌ  Ｔｅｃｈｎｏｌｏｇｙに記載されている。
【００７５】
薬学的に許容される溶媒和物は、たとえば、水和物である。
【００７６】
本発明の完全な範囲および精神から逸脱することなく、本明細書に記載する装置、方法、および／またはシステムの様々な構成要素、ならびに実施形態の修正（追加および／または削除）を加えることができ、本発明は、そのような修正およびそのあらゆる均等物を包含することが、当業者には理解されよう。
【符号の説明】
【００７７】
１  薬物送達デバイス
２  本体
２．１  主要部材
２．２  可動本体構成要素
３  カートリッジ
４  針
４．１  ニードルハブ
５  摺動拘束部
６  ポート
７  アダプタ
８  ピン
９  拘束スロット
１０  ピボット点
１１  開口部
１２  摺動ドア
１３  リンク機構
１４  保持ピン
１５  ばね
１６  リブ
１７．１  縁部
１７．２  縁部
１８  ヒンジ
ＡＰ  位置合わせ位置
Ｄ  遠位方向
ＤＰ  遠位位置
ＥＵ  電気ユニット
ＭＰ  位置ずれ位置
Ｐ  近位方向
ＰＰ  近位位置
Ｓ  安全機構
【図１】
0006356698.tif 000002
【図２】
0006356698.tif 000003
【図３】
0006356698.tif 000004
【図４】
0006356698.tif 000005
【図５】
0006356698.tif 000006
【図６】
0006356698.tif 000007
【図７】
0006356698.tif 000008
【図８】
0006356698.tif 000009
【図９】
0006356698.tif 000010
【図１０】
0006356698.tif 000011
【図１１】
0006356698.tif 000012